(57)【要約】【課題】ケーブルが布設された管内の清掃を行うことが可能な管内清掃具を提供する。【解決手段】清掃具本体２の後端側のホース取り付け部４にホース３が取り付けられ、ケーブル１３が布設された管１２内にてホース３から送られる高圧水を清掃具本体２に設けたノズル６の噴出孔７から噴出させ、該高圧水により管１２内を清掃する管内清掃具１であって、清掃具本体２に、管１２内に布設されたケーブル１３を移動可能に通すケーブルガイド溝８を前端から後端にかけて形成し、ケーブル１３を通したケーブルガイド溝８の開口部を覆うカバー体９を清掃具本体２に開閉自在に設けた。【選択図】  図１
2005021799.tif 000002
【特許請求の範囲】
【請求項１】
清掃具本体の後端側にホースが取り付けられ、ケーブルが布設された管内にて前記ホースから送られる高圧水を前記清掃具本体に設けた噴出孔から噴出させ、該高圧水により前記管内を清掃する管内清掃具であって、
前記清掃具本体に、管内に布設されたケーブルを移動可能に通すケーブルガイド溝を前端から後端にかけて形成し、該ケーブルを通したケーブルガイド溝の開口部を覆うカバー体を前記清掃具本体に着脱自在に設けたことを特徴とする管内清掃具。
【請求項２】
前記噴出孔を、斜め後方に向けたことを特徴とする請求項２に記載の管内清掃具。
【請求項３】
前記清掃具本体の外周に、その周方向に任意の幅のブラシ部を設けたことを特徴とする請求項１又は２に記載の管内清掃具。
【発明の詳細な説明】
【０００１】
【発明の属する技術分野】
本発明は、ケーブルが布設された管内を清掃するための管内清掃具に関する。
【０００２】
【従来の技術】
従来、地中に埋設された管等の内部を清掃するための管内清掃具として、ホースの先端に取り付けられ、管内にて前記ホースから送られる高圧水を清掃具本体に設けた噴出孔から噴出させ、該高圧水により管内を清掃する管内清掃具がある（例えば、特許文献１参照。）。
【０００３】
このような管内清掃具は、前記噴出孔から噴出する高圧水により、管内に堆積した堆積物や管の内壁に付着した付着物を除去・清掃するとともに、清掃具本体に対する浮力と推進力を得て、かかる清掃具本体を管内で旋回させて移動させながら清掃を行うようになっている。前記管内清掃具は、内部に布設物の無い管を清掃の対象としており、例えば、ケーブルが布設されているような管内の清掃は考慮されていない。前記管内清掃具でケーブルが布設された管内の清掃をすると、噴出孔から噴出される高圧水によって管内のケーブルが傷つけられるおそれがあり、また、清掃の際に管内を移動する清掃具本体により管内に布設されているケーブルが傷つけられるおそれがある。このため、ケーブルが布設された管にあっては、前記管内清掃具を用いての清掃は困難とされ、ケーブルが布設された管内の清掃は行われていないのが現状であった。
【０００４】
【特許文献１】
特開平６−１９３１２９号公報
【０００５】
【発明が解決しようとする課題】
近年、光通信の発達に伴いケーブルが増設されている。ケーブルは地下に埋設された埋設管内に布設されるケースが多いが、建造物が密集している地域にあっては、ケーブルを布設する管の埋設場所を確保することが困難な場合が多い。そこで、既にケーブルが布設されている埋設管に、更に、新たなケーブルを布設することができれば前記問題が解決できるといったことが考えられる。
【０００６】
しかし、前記の通り、従来は、ケーブルが布設してある管内の清掃が行われておらず、また清掃を行うことができなかったため、ケーブルが布設されている管内に堆積物があったり、また管壁に付着物があったりして、ケーブルが布設されている既存の埋設管に、更に新たなケーブルを布設することは困難とされ、既にケーブルが布設されている埋設管に、更に、新たなケーブルを布設するといったことは殆ど行われていない。
【０００７】
本発明者等は、上記の点に鑑み、ケーブルが布設されている埋設管に、更に、新たなケーブルを布設することができるようにするために、ケーブルが布設された管内の清掃について研究し、本発明を完成するに至った。
【０００８】
即ち、本発明の目的は、ケーブルが布設された管内の清掃を行うことが可能な管内清掃具を提供することにある。
【０００９】
【課題を解決するための手段】
上記目的を達成するために、請求項１に記載の発明は、清掃具本体の後端側にホースが取り付けられ、ケーブルが布設された管内にて前記ホースから送られる高圧水を前記清掃具本体に設けた噴出孔から噴出させ、該高圧水により前記管内を清掃する管内清掃具であって、前記清掃具本体に、管内に布設されたケーブルを移動可能に通すケーブルガイド溝を前端から後端にかけて形成し、該ケーブルを通したケーブルガイド溝の開口部を覆うカバー体を前記清掃具本体に着脱自在に設けたことを特徴とする。
【００１０】
このような請求項１に記載の本発明によれば、前記カバー体を前記清掃具本体から外して開口状態としたケーブルガイド溝に管内に布設されたケーブルを通した後、前記カバー体を清掃具本体に取り付けてケーブルガイド溝の開口部を覆い、この状態で清掃具本体を管内で移動させて前記噴出孔から噴出する高圧水により管内を清掃する。これにより、清掃の際に、管内のケーブルはカバー体で開口部が覆われているケーブルガイド溝に通されて保護されているので、前記噴出孔から噴出される高圧水によってケーブルが傷つけられたり、また清掃の際に管内を移動する清掃具本体によってケーブルが傷つけられることなく、ケーブルが布設された管内の清掃を行うことができる。
【００１１】
請求項２に記載の発明は、前記噴出孔を、斜め後方に向けたことを特徴とする。
【００１２】
このような請求項２に記載の本発明によれば、管の内壁の清掃の際、前記清掃具本体の後端側に取り付けられたホースを引っ張って清掃具本体を後方向に移動させながら前記噴出孔から噴出される高圧水によって清掃を行う。このとき、噴出孔が斜め後方に向いていることから、このような噴出孔から斜め後方に向かって噴出される高圧水により、清掃具本体に前方向への力が働き、これによってホースに張力が働いた状態となる。このような状態にあるホースを引っ張りながら清掃を行うことにより、清掃具本体がふらつかず安定した状態で清掃を行うことができる。また、前記噴出孔から斜め後方に向かって噴出する高圧水により、管内の堆積物や内壁から剥離された付着物は、清掃具本体の進行方向に押し出され、清掃具本体の移動とともに清掃具本体の進行方向に流れて集まるので、清掃作業を容易に行うことができる。
【００１３】
請求項３に記載の発明は、前記清掃具本体の外周に、その周方向に任意の幅のブラシ部を設けたことを特徴とする。
【００１４】
このような請求項３に記載の本発明によれば、前記噴出孔から高圧水を噴出することに加えて、前記ブラシ部を管の内壁に擦りつけて清掃を行うことにより、より効果的な清掃を行うことができる。
【００１５】
【発明の実施の形態】
以下、図面を参照して本発明に係る管内清掃具の実施の形態の一例について説明する。
図１はケーブルが布設された管内における本例の管内清掃具の縦断面図、図２は図１に示す本例の管内清掃具の底面図、図３は図１の左側面図、図４は図２のＡ−Ａ線断面図、図５はケーブルが布設された管内における本例の管内清掃具の一部切欠斜視図である。
【００１６】
図において、１は管内清掃具、２は清掃具本体である。清掃具本体２は、外形形状が略円柱形状となっており、後端側にホース３を取り付けるためのホース取り付け部４が設けられている。また、清掃具本体２は、先端側に、縮径テーパ面２ａから段差部２ｂを介して連設された頭部２ｃを有している。清掃具本体２には、内部に流路５が形成されている。この流路５は、ホース取り付け部４の端部に開口し、清掃具本体２の頭部２ｃにまで達している。清掃具本体２の前記段差部２ｂは、傾斜面２ｄを有していて、この傾斜面２ｄには、ノズル６が円周方向に所定の間隔をもって複数設けられている。ノズル６には、流路５に連通する噴出孔７が形成されており、この噴出孔７から、流路５に送り込まれた高圧水を放射状に噴出させるようになっている。
【００１７】
噴出孔７の口径は、管１２の内壁に付着した付着物を剥離させることができる一方で、管１２を破壊しない程度の水圧と水量をもって高圧水を噴出することができる径に設定されている。また、前記傾斜面２ｄに設けられたノズル６の噴出孔７は、斜め後方に向いており、かかる噴出孔７から噴出される高圧水が斜め後方に向かって噴出され、清掃具本体２に前方向への力が働くようになっている。
【００１８】
８は管１２内に布設されたケーブル１３を移動可能に通すケーブルガイド溝である。このケーブルガイド溝８は、清掃具本体２の前端から後端にかけて形成されている。そして、このケーブルガイド溝８は、断面略Ｃ字形状に形成されている。またケーブルガイド溝８は、ケーブル１３を入れ易いよう開口部が拡開している。そして、ケーブルガイド溝８は、ケーブル１３を通したときに該ケーブル１３と清掃具本体２との間に隙間が形成され、管１２内の清掃の際、ケーブルガイド溝８にケーブル１３を通した状態で清掃具本体２が円滑に移動可能となるように形成されている。
【００１９】
９はケーブルガイド溝８の開口部を覆うためのカバー体である。カバー体９は清掃具本体２の外周面に合わせて形成された円弧状の板体となっている。そして、カバー体９は、基部９ａからノズル６側に突出片９ｂが突出するようにして形成された平面視凸形状となっている。突出片９ｂは、ケーブル１３の径よりもやや幅広で、且つケーブルガイド溝８を挟んで隣り合うノズル６の間隔よりも幅狭となっている。これにより、カバー体９を清掃具本体２に取り付けたときに、ノズル６とカバー体９とが干渉しないようになっている。
【００２０】
かかるカバー体９は、その基部９ａが清掃具本体２に形成された凹部１０にネジ１１によって着脱自在に取り付けられるようになっている。
【００２１】
次に、本例の管内清掃具１によるケーブルが布設された管内の清掃について説明する。
本例の管内清掃具１を用いて清掃を行うケーブル１３が布設された管１２は、一般に内径が７０〜１５０ｍｍとなっている。かかる管１２の内部を清掃するにあたり、先ず、管１２内に管内清掃具１を挿入する。具体的には、清掃具本体２のホース取り付け部４にホース３を取り付けるとともに、ケーブルガイド溝８に管１２に布設されているケーブル１３を通し、管内清掃具１を管１２内に挿入する。
【００２２】
前記ケーブルガイド溝８にケーブル１３を通すには、カバー体９を清掃具本体２から外してケーブルガイド溝８を開口状態とし、かかるケーブルガイド溝８にケーブル１３を通す。そして、カバー体９をネジ１１によって清掃具本体２に取り付けてケーブルガイド溝８の開口部をカバー体９で覆う。
【００２３】
管１２の内部の清掃は、清掃具本体２を清掃開始位置まで移動させた後、清掃具本体２に超高圧ポンプユニットで発生した高圧水をホース３を通して送り込む。清掃具本体２に送り込まれた高圧水は、流路５を通って噴出孔７から噴出し、これにより、管１２の内部に堆積した堆積物や管の内壁に付着した付着物が除去される（図１参照）。
【００２４】
清掃作業にあたっては、清掃具本体２は、該清掃具本体２のホース取り付け部４に取り付けられたホース３を引っ張って後方に（図１中の矢印Ｘ方向）に移動させる。このとき、噴出孔７は斜め後方に向いていることから、このような噴出孔７から斜め後方に向かって噴出される高圧水により、清掃具本体２に前方向への力が働き、これによってホース３に張力が働いた状態となる。したがって、このような状態にあるホース３を引っ張りながら清掃を行うことにより、清掃具本体２がふらつかず安定した状態で清掃を行うことができる。
【００２５】
また、噴出孔７から斜め後方に向かって噴出する高圧水により、管１２内の堆積物や内壁から剥離された付着物は、清掃具本体２の進行方向に押し出され、清掃具本体の移動とともに清掃具本体の進行方向に流れて集まるので、清掃作業を容易に行うことができる。
【００２６】
管内壁清掃具１による管１２内の清掃の際に、管１２内のケーブル１３はカバー体９で開口部が覆われているケーブルガイド溝８に通されて保護されているので、前記噴出孔７から噴出される高圧水によってケーブル１３が傷つけられたり、また清掃の際に管１２内を移動する清掃具本体２によってケーブル１３が傷つけられることなく、ケーブル１３が布設された管１２内の清掃を行うことができる。
【００２７】
なお、清掃具本体２の長さが短く、噴出孔７から噴出する高圧水が管１２の内壁から跳ね返ることにより、清掃具本体２の後端側においてケーブルガイド溝８から突出したケーブル１３が傷つくおそれがある場合には、図示しないが、ケーブル１３を覆うためのケーブル保護治具を、清掃具本体２の後端側に設けてもよい。かかるケーブル保護治具の長さは、清掃具本体２の長さに応じて適宜設定する。すなわち、ケーブル保護治具の長さは、噴出孔７から噴出されて管１２の内壁から跳ね返った高圧水からケーブル１３を保護することができるよう、清掃具本体２の長さが短いほど長く設定し、清掃具本体２の長さが長いほど短く設定する。
【００２８】
次に、本発明に係る管内清掃具の実施の形態の他例について説明する。
図６はケーブルが布設された管内における本例の管内清掃具の側面図、図７は図６の正面図、図８は図６に示す管内清掃具の底面図である。
【００２９】
本例の管内清掃具１においては、清掃具本体２の頭部２ｄのケーブルガイド溝８を除いた部分の外周に、周方向に全周に渡って任意の幅のブラシ部１４ａが設けられている。その他の構成については上記実施の形態の一例と同様の構成となっている。
【００３０】
このような本例の管内清掃具１によれば、噴出孔７から高圧水を噴出することに加えて、ブラシ部１４ａ，１４ｂを管１２の内壁に擦りつけて清掃を行うことにより、より効果的な清掃を行うことができる。
【００３１】
【発明の効果】
以上説明したように本発明にかかる管内清掃具によれば、カバー体を清掃具本体から外して開口状態としたケーブルガイド溝に管内に布設されたケーブルを通した後、前記カバー体を清掃具本体に取り付けてケーブルガイド溝の開口部を覆い、この状態で清掃具本体を管内で移動させて前記噴出孔から噴出する高圧水により管内を清掃することにより、清掃の際に、管内のケーブルはカバー体で開口部が覆われているケーブルガイド溝に通されて保護されているので、前記噴出孔から噴出される高圧水によってケーブルが傷つけられたり、また清掃の際に管内を移動する清掃具本体によってケーブルが傷つけられることなく、ケーブルが布設された管内の清掃を行うことができる。これにより、既にケーブルが布設されている埋設管に、更に、新たなケーブルを布設することを可能にすることができるといった効果がある。
【図面の簡単な説明】
【図１】ケーブルが布設された管内における本発明の実施の形態の一例に係る管内清掃具の縦断面図。
【図２】図１に示す管内清掃具の底面図。
【図３】図１の左側面図。
【図４】図２のＡ−Ａ線断面図。
【図５】ケーブルが布設された管内における図１に示す管内清掃具の一部切欠斜視図。
【図６】ケーブルが布設された管内における本発明の実施の形態の他例に係る管内清掃具の側面図。
【図７】図６の正面図。
【図８】図６に示す管内清掃具の底面図。
【符号の説明】
１      管内清掃具
２      清掃具本体
２ａ    テーパ面
２ｂ    段差部
２ｃ    頭部
２ｄ    傾斜面
３      ホース
４      ホース取り付け部
５      流路
６      ノズル
７      噴出孔
８      ケーブルガイド溝
９      カバー体
９ａ    基部
９ｂ    突出片
１０    凹部
１１    ネジ
１２    管
１３    ケーブル
１４ａ，１４ｂ    ブラシ部
【図１】
2005021799.tif 000003
【図２】
2005021799.tif 000004
【図３】
2005021799.tif 000005
【図４】
2005021799.tif 000006
【図５】
2005021799.tif 000007
【図６】
2005021799.tif 000008
【図７】
2005021799.tif 000009
【図８】
2005021799.tif 000010